(57)【要約】      （修正有）【課題】ネジを用いることなく、眼鏡脚と眼鏡枠とを結合可能であり、構造が簡単で結合強度が十分である眼鏡構造を提供する。【解決手段】眼鏡枠１０と、結合部材２０と、２つの眼鏡脚３０とを含む。眼鏡枠の両側には、２つの凸軸１４と、スリット１５とを含む連結段１１がそれぞれ設けられる。各結合部材の内部には、眼鏡枠の連結段が挿入結合される貫通溝２１が設けられる。各結合部材には、連結段のスリットに対応する貫通孔２２がさらに設けられる。各眼鏡脚の先端には、上連結片３１と、下連結片３２と、上連結片と下連結片との間に位置する弾性片３３が設けられる。上、下連結片の外端には、連結段に対応する凸軸が挿入結合される枢接孔が設けられることで、各眼鏡脚は眼鏡枠に対して枢転可能であり、弾性片は結合部材の貫通孔を貫通する。【選択図】図２
0003208874.tif 000002
【実用新案登録請求の範囲】
【請求項１】
両側には、上結合片と下結合片とを含む連結段がそれぞれ設けられており、該上結合片の上部と該下結合片の下部とには凸軸がそれぞれ設けられており、該上結合片と該下結合片との間にはスリットが設けられている眼鏡枠と、
内部には、該眼鏡枠における連結段に対応する上、下結合片が挿入結合される貫通溝がそれぞれ設けられており、さらに該連結段のスリットに対応する貫通孔をさらに有する２つの結合部材と、
先端には上連結片と、下連結片と、該上連結片と該下連結片との間に位置する弾性片が設けられており、該上、下連結片の外端には、連結段に対応する上、下結合片の凸軸が挿入結合される枢接孔がそれぞれ設けられることで、各眼鏡脚は該眼鏡枠に対して枢転可能であり、各眼鏡脚の弾性片は結合部材に対応する貫通孔を貫通可能である２つの眼鏡脚と、
を備えることを特徴とする眼鏡構造。
【請求項２】
該結合部材は、中空スリーブであることを特徴とする請求項１に記載の眼鏡構造。
【請求項３】
前記弾性片は、前段と後段とを含み、該前段は該後段に対して外方へ折り曲げられており、該前段は該結合部材に対応する内側から該貫通孔を貫通することで、該眼鏡脚は外方へ拡開する場合、該前段は該結合部材に当接し、該眼鏡脚は位置付けられることを特徴とする請求項１に記載の眼鏡構造。
【考案の詳細な説明】
【技術分野】
【０００１】
本考案は、眼鏡枠と眼鏡脚との結合構造に関し、特に眼鏡脚と眼鏡枠との結合安定性を向上可能な眼鏡構造に関するものである。
【背景技術】
【０００２】
従来の眼鏡は、一般に、眼鏡枠と２つの眼鏡脚とからなり、両者をネジで関節のように可動的に結合することで、眼鏡脚は、眼鏡枠に対して内方へ折り畳み収納しまたは外方へ拡開することができる。しかしながら、ネジは、長期間の使用によって次第に緩みやすくなり、適当な締め付け力を維持するために、ときどき回転締め付ける必要があり、操作上の不便となる。さらに、眼鏡製造技術の向上のため、高単価の眼鏡は設計が軽薄の方向へ進んでいるため、眼鏡枠及び眼鏡脚は、強靭且つ軽質の材質からなるのが多くあり、材料も金属シート材料から直接加工されるようになっている。
【０００３】
シート材料からなる眼鏡枠と眼鏡脚との結合として、ねじを用いることなくねじによる緩みの問題を回避するために、薄枠型眼鏡の眼鏡枠と眼鏡脚とを結合するための接続構造が提案されている。しかしながら、従来の薄枠型眼鏡の接続構造は、一般的には構造が複雑で結合強度が不足している欠点を有する。従って、薄枠型眼鏡の眼鏡枠と眼鏡脚のために簡単且つ安定的に結合可能な他の接続構造を考案する必要がある。
【考案の概要】
【考案が解決しようとする課題】
【０００４】
そこで、本考案は、ネジを用いることなく、眼鏡脚を眼鏡枠とを結合可能であり、構造が簡単で結合強度が十分である効果を有する薄型眼鏡構造を提供ことを目的とする。
【課題を解決するための手段】
【０００５】
本考案に係る眼鏡構造は、眼鏡枠と、２つの結合部材と、２つの眼鏡脚とを含む。該眼鏡枠の両側には上結合片と下結合片とを含む連結段がそれぞれ設けられている。該上結合片の上部と該下結合片の下部には凸軸がそれぞれ設けられ、該上結合片と該下結合片との間にはスリットが設けられている。各結合部材の内部には、該眼鏡枠の一方の連結段の上、下結合片が挿入結合される貫通溝が設けられている。各結合部材は、該連結段のスリットに対応する貫通孔が設けられている。各眼鏡脚の先端には、上連結片と、下連結片と、該上連結片と該下連結片との間に位置する弾性片が設けられている。該上、下連結片の外端には、連結段に対応する上、下結合片の凸軸が挿入結合される対向する枢接孔が設けられていることで、各眼鏡脚は該眼鏡枠に対して枢転可能であり、各眼鏡脚の弾性片は結合部材に対応する貫通孔を貫通する。
【考案の効果】
【０００６】
本考案に係る眼鏡構造によれば、眼鏡脚と眼鏡枠との組み付けは、ネジを用いる必要がなく、眼鏡全体の構造は簡単に加工製造可能であるため、異なる眼鏡態様に広く適用することができる。
【図面の簡単な説明】
【０００７】
【図１】本考案に係る実施例の眼鏡構造の模式図である。
【図２】図１の眼鏡構造の分解模式図である。
【図３】本考案に係る結合部材が眼鏡枠に組み付けられた模式図である。
【図４】本考案に係る眼鏡脚が折り畳み収容された状態の模式図である。
【図５】本考案に係る眼鏡脚が拡開された状態の局所断面模式図である。
【考案を実施するための形態】
【０００８】
図１〜５に示すように、本考案に係る眼鏡構造は、眼鏡枠１０と、２つの結合部材２０と、２つの眼鏡脚３０とを含む。そのうちの結合部材２０と眼鏡脚３０とを図１、４にそれぞれ示す。眼鏡枠１０及び眼鏡脚３０は、シート状材料からなり、結合部材２０を介して眼鏡枠１０と眼鏡脚３０とを連結することで結合が安定的な眼鏡を構成する。
【０００９】
眼鏡枠１０の両側には、離間した上結合片１２と下結合片１３とを含む連結段１１がそれぞれ設けられている。上結合片１２の上部と下結合片１３の下部とには、整列される凸軸１４がそれぞれ設けられている。さらに、上結合片１２と下結合片１３との間には、スリット１５が設けられている。
【００１０】
各結合部材２０は、中空スリーブ形態となっており、内部には連結段１１に対応する上結合片１２と下結合片１３とが挿入結合される貫通溝２１が設けられている。各結合部材２０は、連結段１１のスリット１５に対応する貫通孔２２をさらに有し、各連結段１１が結合部材２０の貫通溝２１内に挿入された後、スリット１５は貫通孔２２と整列し、連結段１１の外端は結合部材２０の後端２３内に位置付けられる（図５参照）。
【００１１】
各眼鏡脚３０の先端には、上連結片３１と、下連結片３２と、上連結片３１と下連結片３２との間に位置する弾性片３３とが設けられている。上、下連結片３１、３２の外端内側面には、連結段１１に対応する上結合片１２と下結合片１３の凸軸１４が挿入結合される枢接孔３４がそれぞれ設けられている。弾性片３３は、前段３３１と後段３３２とを含み、前段３３１は、後段３３２に対して外方へ折り曲げられている。
【００１２】
本考案に係る眼鏡構造によれば、組付け上、眼鏡枠１０の連結段１１が結合部材２０の貫通溝２１内に収容された場合、上結合片１２及び下結合片１３Ｇはともに結合部材２０内に固定されるため、眼鏡枠１０はレンズ（図示せず）を挟持することができる。さらに、結合部材２０の貫通孔２２は、連結段１１のスリット１５と整列されるため、眼鏡脚３０の弾性片３３の前段３３１は、結合部材２０の内側から貫通孔２２を貫通し、かつ上、下連結片３１、３２の枢接孔３４は、それぞれ上、下結合片１２、１３の凸軸１４と結合されることで、眼鏡脚３０は、凸軸１４を回転軸心として眼鏡枠１０に対して内方へ折り畳み収容しまたは外方へ拡開することができ、眼鏡枠１０と眼鏡脚３０とをネジなしで結合可能な薄枠型眼鏡構造を構成することができる。さらに、眼鏡脚３０が外方へ拡開した場合（図１、５参照）、弾性片３３の前段３３１は、結合部材２０の外面に当接するため、眼鏡脚３０が位置付けられる。これにより、眼鏡脚３０の過度な拡開を回避することができる。
【００１３】
本考案に係る眼鏡構造によれば、眼鏡枠１０と眼鏡脚３０とをねじなしで組み付けることができ、ネジが緩みやすい欠点を改善することができるため、眼鏡製品はさらにコンパクトになっている。特に、結合部材２０は、眼鏡枠１０と眼鏡脚３０とを強固に結合可能であるため、薄枠型眼鏡の構造はより強固なものとなっている。
【００１４】
上記のように、これらの実施の形態は本考案の好ましい実施例のみであり、本考案の特許請求の範囲に基づいてなされる等価の変更や修飾は、本考案の技術範囲に入るものである。
【００１５】
以上のように、本考案では、両側には、上結合片と下結合片とを含む連結段がそれぞれ設けられており、該上結合片の上部と該下結合片の下部とには凸軸がそれぞれ設けられており、該上結合片と該下結合片との間にはスリットが設けられている眼鏡枠と、内部には、該眼鏡枠における連結段に対応する上、下結合片が挿入結合される貫通溝がそれぞれ設けられており、さらに該連結段のスリットに対応する貫通孔をさらに有する２つの結合部材と、先端には上連結片と、下連結片と、該上連結片と該下連結片との間に位置する弾性片が設けられており、該上、下連結片の外端には、連結段に対応する上、下結合片の凸軸が挿入結合される枢接孔がそれぞれ設けられることで、各眼鏡脚は該眼鏡枠に対して枢転可能であり、各眼鏡脚の弾性片は結合部材に対応する貫通孔を貫通可能である２つの眼鏡脚と、を備えることを特徴とする眼鏡構造とするものである。
【００１６】
また、該結合部材は、中空スリーブであるものとする。
【００１７】
また、前記弾性片は、前段と後段とを含み、該前段は該後段に対して外方へ折り曲げられており、該前段は該結合部材に対応する内側から該貫通孔を貫通することで、該眼鏡脚は外方へ拡開する場合、該前段は該結合部材に当接し、該眼鏡脚は位置付けられるものとする。
【産業上の利用可能性】
【００１８】
本考案に係る眼鏡構造によれば、眼鏡脚と眼鏡枠との組み付けは、ネジを用いる必要がなく、眼鏡全体の構造は簡単に加工製造可能であるため、異なる眼鏡態様に広く適用することができる。
【符号の説明】
【００１９】
１０  眼鏡枠
１１  連結段
１２  上結合片
１３  下結合片
１４  凸軸
１５  スリット
２０  結合部材
２１  貫通溝
２２  貫通孔
２３  後端
３０  眼鏡脚
３１  上連結片
３２  下連結片
３３  弾性片
３３１  前段
３３２  後段
３４  枢接孔
【図１】
0003208874.tif 000003
【図２】
0003208874.tif 000004
【図３】
0003208874.tif 000005
【図４】
0003208874.tif 000006
【図５】
0003208874.tif 000007